【手続補正書】
【提出日】平成20年9月18日(2008.9.18)
【手続補正１】
【補正対象書類名】特許請求の範囲
【補正対象項目名】全文
【補正方法】変更
【補正の内容】
【特許請求の範囲】
【請求項１】
平坦な閉ループ形状に形成され、屈曲変形時にフリーになるとあたかも元の閉ループ形状を記憶された如く元の形態に復帰する屈曲状に弾性変形可能な枠体と、
枠体内に設けたネットと、
上記枠体を複数個の重なった小さな輪に屈曲変形した際、屈曲部位と開放部位を中心としてその左右部位位置に設けられ、上下の小さな輪間を所要間隔を有して連結し同屈曲変形した形状に保持する連結手段と、
同じく枠体を複数個の重なった小さな輪に屈曲変形した際、上記連結手段取付部位に略対応して設けられた浮き部材とから構成してなり、
上記枠体を複数個の重なった小さな輪に屈曲変形して上記連結手段により同形状に保持した状態で水に浮かべると、その開放部位の口が開いた上下小さな輪の間に水面が位置してなり、同水面上に浮遊するゴミ等を捕獲するようにした事を特徴とする浮きゴミ回収用具。
【手続補正２】
【補正対象書類名】明細書
【補正対象項目名】全文
【補正方法】変更
【補正の内容】
【発明の詳細な説明】
【発明の名称】浮きゴミ回収用具
【技術分野】
【０００１】
本発明は風呂水等の水に浮かんでいるゴミ、垢、髪の毛などを収集する浮きゴミ回収具に関するものである。
【背景技術】
【０００２】
一般に、風呂等で使用されるゴミ取り具としては、例えば図６に示すような把持部と、枠体に袋状のネットが取り付けられたゴミ取具が知られている。（特許文献１及び特許文献２）
【０００３】
また、装置を駆動する電源手段と、前記装置を浴槽水面に浮遊させるフロート手段と、浴槽水面に位置し、該水面に浮く汚れを除去するフィルタ手段と、該フィルタ手段によって汚れが除去された清水を浴槽内に搬出する排出手段とを備えた浴槽表面汚れ除去装置も提案されている。（特許文献３）
【特許文献１】特開２００１−４６２５７号公報
【特許文献２】特開平１１−２６７０５５号公報
【特許文献３】特開２００７−１０５０６４号公報
【発明の開示】
【発明が解決しようとする課題】
【０００４】
しかしながら、特許文献１及び特許文献２のゴミ取具においては、安価なゴミ取具ではあるが、ゴミ、垢、髪の毛などを確認した際に一々掬ってゴミを収集する必要があり、面倒で利便性が悪いものであった。
この点、特許文献３に示すような浴槽表面汚れ除去装置は、浴槽に浮遊させ、電源を入れるだけで、浴槽水面を移動し、水面に浮遊するゴミ、垢、髪の毛などを自動的に収集でき使い勝手は良いものの、電池などの電源手段を必要とするばかりか、装置自体にそれなりのコストが掛かるため、殆ど使用されていないものであった。
【０００５】
本発明は、上記従来の問題を解決するもので、電源を必要とせず、単に水に浮かべておくだけで水面に発生する波により勝手に浮きゴミを収集できると共に、極めて簡単な構成にして安価な浮きゴミ回収用具を提供するものである。
【課題を解決するための手段】
【０００６】
本発明は、平坦な閉ループ形状に形成され、屈曲変形時にフリーになるとあたかも元の閉ループ形状を記憶された如く元の形態に復帰する屈曲状に弾性変形可能な枠体と、枠体内に設けたネットと、上記枠体を複数個の重なった小さな輪に屈曲変形した際、屈曲部位と開放部位を中心としてその左右部位位置に設けられ、上下の小さな輪間を所要間隔を有して連結し同屈曲変形した形状に保持する連結手段と、同じく枠体を複数個の重なった小さな輪に屈曲変形した際、上記連結手段取付部位に略対応して設けられた浮き部材とから浮きゴミ回収用具を構成したことを特徴とする。
【発明の効果】
【０００７】
本発明の浮きゴミ回収用具においては、上記枠体を複数個の重なった小さな輪に屈曲変形した後、上記連結手段により同形状に保持した状態で水に浮かべると、その開放部位の口が開いた上下小さな輪の間に水面が位置し、人が浴槽内で動いて発生した波等によって水面上を浮遊するゴミ等が開放部位の口から入って捕獲することができるといった利点を有する。
これは電源等を用いることなく、また一々掬ってゴミを収集するといった面倒なゴミ取り作業を必要とせず、単に水面に浮かげておけば自然とゴミ等を回収でき、更に簡単な構成にして安価に提供できるものである。
【発明を実施するための最良の形態】
【０００８】
以下本発明の実施について図１〜図５を用いて詳細に説明する。
図１は本発明の浮きゴミ回収用具の変形状態を示し、（イ）は変形前の状態を示す浮きゴミ回収用具の正面図、（ロ）は屈曲変形途中を示す説明図、（ハ）は変形後の３重ね形状とした状態を示す説明図、  図２は本発明の浮きゴミ回収用具を係止手段により３重ね形状に保持した状態を示す側面図、図３は図２における浮きゴミ回収用具を開放部位側から見た正面図、図４は図２における浮きゴミ回収用具を水に浮かべた状態の使用図、図５は本発明の浮きゴミ回収用具を元の平板状として水洗いしている状態を示す説明図である。
【０００９】
図１において、１は浮きゴミ回収用具本体、２は平坦な閉ループ形状に形成された屈曲状に弾性変形可能な枠体で、手で捩じり、また曲げることによって、複数個の重なった小さな輪、例えば図２及び図３に示すように３重の輪３Ａ，３Ｂ、３Ｃに屈曲縮小できると共に、屈曲変形時にフリーになるとあたかも図１（イ）に示す元の平坦な閉ループ形状を記憶された如く元の形態に復帰する弾性変形力を有している。
４はこの平坦な閉ループ形状の枠体２に張られたネットで、一般的な合成樹脂繊維などよりなり、上記枠体２を３重の小さな輪３Ａ，３Ｂ、３Ｃに屈曲縮小した場合、図２及び図３に示すように屈曲縮小された小さな輪３Ａ，３Ｂ、３Ｃ毎に袋形状となる。
【００１０】
５は上記枠体２を３重の小さな輪３Ａ，３Ｂ、３Ｃに屈曲縮小した形状に保持すべく上側の小さな輪３Ａと下側の小さな輪３Ｃを連結する連結手段で、図２及び図３に示す如く３重の小さな輪に屈曲縮小された形状においてその屈曲部位２ａと開放部位２ｂを中心としてその左右部位２ｃ位置に配して設けられると共に、図２に示すように上下の小さな輪３Ａ、３Ｃ間を所要間隔Ｌを有して連結することにより、その開放部位２ｂに上下の小さな輪３Ａ、３Ｃにて口が開いたような所要間隔Ｈの隙間を形成するようにしている。なお、例えば図１（イ）に示すように浮きゴミ回収用具本体１が略矩形形状である場合、そのコーナー部を挟んで約６０度程度位置に配して連結手段５を設けると、この浮きゴミ回収用具本体１を３重の小さな輪に屈曲変形した際、屈曲部位２ａと開放部位２ｂを中心としてその左右部位２ｃ位置に配して設けられるようになる。
【００１１】
６は上記連結手段５の設置位置に略対応して中央の小さな輪３Ｂに設けられた浮き部材で、３重の小さな輪３Ａ，３Ｂ、３Ｃに屈曲縮小された浮きゴミ回収用具本体１の屈曲部位２ａと開放部位２ｂを中心としてその左右部位２ｃ位置に設けられるため、この小さな輪に屈曲縮小された浮きゴミ回収用具本体１を水に浮かばせた場合、図４に示すように口が開いた開放部位２ｂにおいて水面上に下側の小さな輪３Ａが位置し、水面下に上側の小さな輪３Ｃが位置、即ち上記上下の小さな輪３Ａ、３Ｃにて形成される所要間隔Ｈの隙間の間に水面が位置するようになる。
なお、例えば図１（イ）に示すように浮きゴミ回収用具本体１が略矩形形状である場合、上記連結手段５と反対側のコーナー部位に対峙させて設けると、この浮きゴミ回収用具本体１を３重の小さな輪に屈曲変形した際、連結手段５の設置位置に略対応して中央の小さな輪３Ｂに設けられるようになる。
【００１２】
次に使用時について説明する。
先ず、図１（イ）に示す平坦な閉ループ形状に形成された枠体２を、同図１（ロ）に示すように手で捩じり、また曲げることによって、同図１（ハ）に示すように複数個の重なった、例えば３重小さな輪のコンパクト形状に屈曲縮小する。
【００１３】
そして、上側の小さな輪３Ａと下側の小さな輪３Ｃを、図２に示すようにその左右部位２ｃ位置に設けた連結手段５により連結することにより、３重小さな輪のコンパクト形状に屈曲縮小した形状に保持させると同時に、連結手段５に形成した所要間隔Ｌによって同開放部位２ｂに口が開いたような所要間隔Ｈの隙間を形成する。この際、浮き部材６は図３に示すように連結手段５に対応する位置に配して設けられることとなる。
しかる後、上記３重小さな輪のコンパクト形状に屈曲縮小した浮きゴミ回収用具本体１を図４に示すように浴槽に浮かべると、同開放部位２ｂに形成した所要間隔Ｈの隙間の間に水面が位置する。これにより、例えば浴槽に人が入出したり、体を動かした際に発生した波によって水面上に浮かんでいるゴミ、垢、髪の毛などが水面上を波と共に浮遊し、口の開いた開放部位２ｂの間隔Ｈの隙間より、浮きゴミ回収用具本体１内に自然と入り、同浮きゴミ回収用具本体１の３重の小さな輪３Ａ，３Ｂ、３Ｃで捕獲し収集する。
【００１４】
この際、水はネット４を通して開放部位２ｂの口から屈曲部位２ａへ流れると共に、３重の小さな輪３Ａ，３Ｂ、３Ｃが袋状に構成されているため、ネット４に付着したゴミ、垢、髪の毛などは逆流して開放部位２ｂの口から出ることはない。このように、水面に発生した波で自然に水面上に浮遊するゴミ、垢、髪の毛などを収集するので、従来のように掬ってゴミを収集するといった面倒なゴミ取り作業を必要としないばかりか、浴槽表面汚れ除去装置のように電池などの電源手段も必要としない。
【００１５】
次に、捕獲したゴミ、垢、髪の毛などを除去する場合について説明する。
上記図２に示す３重小さな輪のコンパクト形状に屈曲縮小形態に保持された浮きゴミ回収用具本体１において、連結手段５の連結を解除しフリー状態とすると、浮きゴミ回収用具本体１は枠体２の弾性変形力によって図１（イ）に示す平坦な閉ループ形状に戻る。これにより、図５に示すように平板状の浮きゴミ回収用具本体１の上からシャワーなどで水を流してやると、ネット４に付着したゴミ、垢、髪の毛などを簡単に洗い流すことができる。従って、従来の袋状のネットが取り付けられたゴミ取具にあっては一々袋状のネットをひっくり返すなどして収集したゴミ等を取り除いたり、浴槽表面汚れ除去装置のケースを外してフィルターを交換するといったものに比し、単に平板状となった浮きゴミ回収用具本体１の上から水を流してやるといった極めて簡単な作業で素早く且つ確実にゴミ等を取り除くことができ、使い勝手の良いものである。
【００１６】
そして、ゴミ等を洗い流した平板状の浮きゴミ回収用具本体１を、日干しして乾燥させることにより常に清潔に保つことができ、これを繰り返し利用することができる。なお、必要に応じて平板状の浮きゴミ回収用具本体１のまま、水面の浮いたゴミ、垢、髪の毛などを掬い取ることもできる。
また、上記浮きゴミ回収用具１は上述のごとく極めて簡単な構成にして、安価に提供することができるものである。
【産業上の利用可能性】
【００１７】
風呂水等の水に浮かんでいるゴミ、垢、髪の毛などを収集する浮きゴミ回収具として適用できる。
【図面の簡単な説明】
【００１８】
【図１】本発明の浮きゴミ回収用具の変形状態を示し、（イ）は変形前の状態を示す浮きゴミ回収用具の正面図、（ロ）は屈曲変形途中を示す説明図、（ハ）は変形後の３重ね形状とした状態を示す説明図である。
【図２】本発明の浮きゴミ回収用具を係止手段により３重ね形状に保持した状態を示す側面図である。
【図３】図２における浮きゴミ回収用具を開放部位側から見た正面図である。
【図４】図２における浮きゴミ回収用具を水に浮かべた状態の使用図である。
【図５】本発明の浮きゴミ回収用具を元の平板状として水洗いしている状態を示す説明図である。
【図６】従来のゴミ取具を示す斜視図である。
【符号の説明】
【００１９】
１    浮きゴミ回収用具本体
２    枠体
２ａ    屈曲部位
２ｂ    開放部位
２ｃ    左右部位
３Ａ，３Ｂ、３Ｃ    小さな輪
４    ネット
５    連結手段
６    浮き部材
Ｌ    連結手段に設けた所要間隔
Ｈ    開放部位の所要間隔の隙間
【手続補正３】
【補正対象書類名】図面
【補正対象項目名】全図
【補正方法】変更
【補正の内容】
【図１】
2008206941.tif 000001
【図２】
2008206941.tif 000002
【図３】
2008206941.tif 000003
【図４】
2008206941.tif 000004
【図５】
2008206941.tif 000005
【図６】
2008206941.tif 000006